(57)【特許請求の範囲】
【請求項１】
第１現像パラメータに基づきＲＡＷ画像データの現像処理を行う現像手段と、
前記第１現像パラメータに基づき前記ＲＡＷ画像データを現像処理して得られた第１画像データに対する画像補正処理の設定値の入力を受け付ける入力手段と、
入力された設定値に基づき、前記第１画像データに対して画像補正処理を行う画像補正手段と、
前記第１画像データに対して、前記入力された設定値に基づき画像補正処理を行って得られた画像データに基づく画像を表示する表示手段と、
前記入力された設定値に基づき、前記第１画像データに対して画像補正処理が行われた場合に、前記入力された設定値に基づき、前記ＲＡＷ画像データの現像処理において用いる第２現像パラメータを生成する生成手段と、
を備え、
前記入力された設定値に基づき、前記第１画像データに対して画像補正処理が行われた場合に、
前記現像手段は、前記生成手段により生成された前記第２現像パラメータに基づき、前記ＲＡＷ画像データの現像処理を行い、
前記画像補正手段は、前記第２現像パラメータに基づき前記ＲＡＷ画像データを現像処理して得られた第２画像データに対して、前記入力された設定値に基づく画像補正処理を行わずに、所定の設定値に基づき画像補正処理を行う画像処理システム。
【請求項２】
前記第１画像データ及び前記第２画像データは、前記ＲＡＷ画像データよりビット深度の少ない画像データである請求項１に記載の画像処理システム。
【請求項３】
前記現像手段と、前記生成手段と、を有する現像装置と、
前記画像補正手段と、前記入力手段と、前記表示手段と、を有する表示装置と、
により構成される請求項１又は２に記載の画像処理システム。
【請求項４】
前記現像手段を有する現像装置と、
前記画像補正手段と、前記入力手段と、前記表示手段と、前記生成手段と、を有する表示装置と、
により構成される請求項１又は２に記載の画像処理システム。
【請求項５】
前記現像手段と、前記生成手段と、着脱可能な記録媒体に対し前記入力された設定値の情報の読み出しを行う手段と、を有する現像装置と、
前記画像補正手段と、前記入力手段と、前記表示手段と、着脱可能な前記記録媒体に対し前記入力された設定値の情報の書き込みを行う手段と、を有する表示装置と、
を有し、現像装置と表示装置との間で前記記録媒体を介して前記入力された設定値の情報が受け渡しされる請求項１又は２に記載の画像処理システム。
【請求項６】
前記現像手段と、着脱可能な記録媒体に対し前記生成手段により生成された現像パラメータの情報の読み出しを行う手段と、を有する現像装置と、
前記画像補正手段と、前記入力手段と、前記表示手段と、前記生成手段と、着脱可能な前記記録媒体に対し前記生成手段により生成された現像パラメータの情報の書き込みを行う手段と、を有する表示装置と、
を有し、現像装置と表示装置との間で前記記録媒体を介して前記生成手段により生成された現像パラメータの情報が受け渡しされる請求項１又は２に記載の画像処理システム。
【請求項７】
前記表示手段は、前記第２画像データに対して、前記所定の設定値に基づき画像補正処理を行って得られた画像データに基づく画像を表示する請求項１から６のいずれか１項に記載の画像処理システム。
【請求項８】
前記入力手段は、前記入力された設定値で決定する指示の入力を受け付け、
前記表示手段は、前記入力された設定値で決定する指示が入力された場合に、前記第２画像データに対して、前記所定の設定値に基づき画像補正処理を行って得られた画像データに基づく画像を表示する請求項１から６のいずれか１項に記載の画像処理システム。
【請求項９】
前記生成手段は、前記入力された設定値に基づく画像補正処理と同等の画像補正処理を前記現像手段の現像処理において実行可能であるか判定し、実行可能と判定した場合に、前記入力された設定値に基づく前記第２現像パラメータの生成を行う請求項１から８のいずれか１項に記載の画像処理システム。
【請求項１０】
前記所定の設定値は、γ＝１．０である請求項１から９のいずれか１項に記載の画像処理システム。
【請求項１１】
外部の現像装置が第１現像パラメータに基づきＲＡＷ画像データを現像処理して得られた第１画像データを取得する取得手段と、前記第１画像データに対する画像補正処理の設定値の入力を受け付ける入力手段と、
入力された設定値に基づき、前記第１画像データに対して画像補正処理を行う画像補正手段と、
前記第１画像データに対して、前記入力された設定値に基づき画像補正処理を行って得られた画像データに基づく画像を表示する表示手段と、
を備え、
前記入力された設定値に基づき、前記第１画像データに対して画像補正処理が行われた後で、
前記入力された設定値に基づき生成された第２現像パラメータを用いて前記現像装置が前記ＲＡＷ画像データを現像処理して得られた第２画像データを前記取得手段が取得した場合に、
前記画像補正手段は、前記第２画像データに対して、前記入力された設定値に基づく画像補正処理を行わずに、所定の設定値に基づき画像補正処理を行うことを特徴とする表示装置。
【請求項１２】
前記第１画像データ及び前記第２画像データは、ＲＡＷ画像データよりビット深度の少ない画像データである請求項１１に記載の表示装置。
【請求項１３】
前記表示手段は、前記第２画像データに対して、前記所定の設定値に基づき画像補正処理を行って得られた画像データに基づく画像を表示する請求項１１または１２に記載の表示装置。
【請求項１４】
前記入力された設定値の情報を前記現像装置へ送信する送信手段を備え、
前記入力手段は、前記入力された設定値の情報を前記現像装置へ送信する指示の入力を受け付け、
前記表示手段は、前記入力された設定値の情報を前記現像装置へ送信する指示が入力された場合に、前記第２画像データに対して、前記所定の設定値に基づき画像補正処理を行って得られた画像データに基づく画像を表示する請求項１１から１３のいずれか１項に記載の表示装置。
【請求項１５】
前記所定の設定値は、γ＝１．０である請求項１１から１４のいずれか１項に記載の表示装置。
【請求項１６】
第１現像パラメータに基づきＲＡＷ画像データの現像処理を行う現像工程と、
前記第１現像パラメータに基づき前記ＲＡＷ画像データを現像処理して得られた第１画像データに対する画像補正処理の設定値の入力を受け付ける入力工程と、
入力された設定値に基づき、前記第１画像データに対して画像補正処理を行う画像補正工程と、
前記第１画像データに対して、前記入力された設定値に基づき画像補正処理を行って得られた画像データに基づく画像を表示する表示工程と、
前記入力された設定値に基づき、前記第１画像データに対して前記画像補正処理が行われた場合に、前記入力された設定値に基づき、前記ＲＡＷ画像データの現像処理において用いる第２現像パラメータを生成する生成工程と、
を有し、
前記入力された設定値に基づき、前記第１画像データに対して前記画像補正処理が行われた場合に、
前記現像工程では、前記生成工程において生成された前記第２現像パラメータに基づき、前記ＲＡＷ画像データの現像処理を行い、
前記画像補正工程では、前記第２現像パラメータに基づき前記ＲＡＷ画像データを現像処理して得られた第２画像データに対して、前記入力された設定値に基づく画像補正処理を行わずに、所定の設定値に基づき画像補正処理を行う画像処理システムの制御方法。
【請求項１７】
前記第１画像データ及び前記第２画像データは、前記ＲＡＷ画像データよりビット深度の少ない画像データである請求項１６に記載の画像処理システムの制御方法。
【請求項１８】
前記表示工程は、前記第２画像データに対して、前記所定の設定値に基づき画像補正処理を行って得られた画像データに基づく画像を表示する請求項１６または１７に記載の画像処理システムの制御方法。
【請求項１９】
前記入力工程は、前記入力された設定値で決定する指示の入力を受け付け、
前記表示工程は、前記入力された設定値で決定する指示が入力された場合に、前記第２画像データに対して、前記所定の設定値に基づき画像補正処理を行って得られた画像データに基づく画像を表示する請求項１６から１８のいずれか１項に記載の画像処理システムの制御方法。
【請求項２０】
前記生成工程は、前記入力された設定値に基づく前記画像補正処理と同等の画像補正処理を前記現像工程の現像処理において実行可能であるか判定し、実行可能と判定した場合に、前記入力された設定値に基づく前記第２現像パラメータの生成を行う請求項１６から１９のいずれか１項に記載の画像処理システムの制御方法。
【請求項２１】
前記所定の設定値は、γ＝１．０である請求項１６から２０のいずれか１項に記載の画像処理システムの制御方法。
【請求項２２】
表示装置の制御方法であって、
外部の現像装置が第１現像パラメータに基づきＲＡＷ画像データを現像処理して得られた第１画像データを取得する取得工程と、
前記第１画像データに対する画像補正処理の設定値の入力を受け付ける入力工程と、
入力された設定値に基づき、前記第１画像データに対して画像補正処理を行う画像補正工程と、
前記第１画像データに対して、前記入力された設定値に基づき画像補正処理を行って得られた画像データに基づく画像を表示する表示工程と、
を有し、
前記入力された設定値に基づき、前記第１画像データに対して画像補正処理が行われた後で、
前記入力された設定値に基づき生成された第２現像パラメータに基づき前記現像装置が前記ＲＡＷ画像データを現像処理して得られた第２画像データを前記取得工程で取得した場合に、
前記画像補正工程では、前記第２画像データに対して、前記入力された設定値に基づく画像補正処理を行わずに、所定の設定値に基づき画像補正処理を行うことを特徴とする表示装置の制御方法。
【請求項２３】
前記第１画像データ及び前記第２画像データは、ＲＡＷ画像データよりビット深度の少ない画像データである請求項２２に記載の表示装置の制御方法。
【請求項２４】
前記表示工程は、前記第２画像データに対して、前記所定の設定値に基づき画像補正処理を行って得られた画像データに基づく画像を表示する請求項２２または２３に記載の表示装置の制御方法。
【請求項２５】
前記入力された設定値の情報を前記現像装置へ送信する送信工程を有し、
前記入力工程は、前記入力された設定値の情報を前記現像装置へ送信する指示の入力を受け付け、
前記表示工程は、前記入力された設定値の情報を前記現像装置へ送信する指示が入力された場合に、前記第２画像データに対して、前記所定の設定値に基づき画像補正処理を行って得られた画像データに基づく画像を表示する請求項２２から２４のいずれか１項に記載の表示装置の制御方法。
【請求項２６】
前記所定の設定値は、γ＝１．０である請求項２４から２５のいずれか１項に記載の表示装置の制御方法。
【発明の詳細な説明】
【技術分野】
【０００１】
本発明は、撮像装置で撮影された画像のＲＡＷデータに対して画像処理を行う画像処理システム及びその制御方法に関する。
【背景技術】
【０００２】
撮像装置で撮影された静止画像又は動画像の保存形式として、撮像素子から読み出された状態の未加工データ（以下、ＲＡＷ画像データと呼ぶ）を記録する事が可能である。
ＲＡＷ画像データは、それを撮影した撮像装置に依存するデータであるため、テレビ等の一般的な表示装置で表示するためには現像処理が必要となる。現像処理によりＲＡＷ画像データは、ＪＰＥＧ形式、ＭＰＥＧ形式等の一般的な形式の画像データに変換され、テレビ等での表示が可能となる。
現像処理により得られた画像データに対し、明るさやホワイトバランスといった画質調整を行うことができるテレビがある。
【０００３】
しかし、ＲＡＷ画像データを現像して得られるＪＰＥＧ形式やＭＰＥＧ形式の画像データは、一般的にＲＡＷ画像データよりビット数が低い。そのため、現像処理により得られた画像データに対する画像処理はビット精度が低く、ＲＡＷ画像データに対し同様の画像処理を行った場合と比較して、画像処理後の画像に画質劣化が生じ易い。
【０００４】
デジタルテレビとデジタルカメラとを接続し、デジタルテレビでユーザが指示した不可逆圧縮符号化画像データに対する画像処理を、その画像データに対応するＲＡＷデータに対し行うようデジタルカメラに依頼する技術が提案されている（特許文献１を参照）。
【先行技術文献】
【特許文献】
【０００５】
【特許文献１】特開２００９−１３０５３４号公報
【発明の概要】
【発明が解決しようとする課題】
【０００６】
一般にユーザが画像の画質を調整する場合、満足する画質が得られるまで画質パラメータの調整及び調整結果の確認の作業を繰り返し行うことが考えられる。特許文献１の画像処理装置では、ＲＡＷ画像データの画像処理をデジタルカメラに依頼した場合、デジタルカメラがＲＡＷ画像データの画像処理及び現像処理を完了するまで、ユーザは画質調整の結果を確認できない。データ量の多いＲＡＷ画像データの画像処理及び現像処理は負荷が高いため、デジタルカメラによるＲＡＷ画像データの画像処理及び現像処理が完了するまで時間がかかる。そのため、ユーザは画質パラメータを調整するたびに調整結果が得られるまで待たされることになり、画質調整の作業を効率良く行えない場合が考えられる。
【０００７】
また、ＲＡＷ画像データを現像する現像装置によって、設定可能な現像パラメータの項目や現像パラメータの設定方法が異なるため、ユーザは使用する現像装置毎に異なるユーザインターフェースを介して現像パラメータの設定を行う必要があった。
【０００８】
本発明は、現像処理により得られた画像データに対して画像処理を行う画像処理システム及びその制御方法において、画像処理後の画像の画質劣化を抑制すると共にユーザによる画質調整の作業が効率良く行えるようにすることを目的とする。
【課題を解決するための手段】
【０００９】
本発明は、第１現像パラメータに基づきＲＡＷ画像データの現像処理を行う現像手段と、
前記第１現像パラメータに基づき前記ＲＡＷ画像データを現像処理して得られた第１画像データに対する画像補正処理の設定値の入力を受け付ける入力手段と、
入力された設定値に基づき、前記第１画像データに対して画像補正処理を行う画像補正手段と、
前記第１画像データに対して、前記入力された設定値に基づき画像補正処理を行って得られた画像データに基づく画像を表示する表示手段と、
前記入力された設定値に基づき、前記第１画像データに対して画像補正処理が行われた場合に、前記入力された設定値に基づき、前記ＲＡＷ画像データの現像処理において用いる第２現像パラメータを生成する生成手段と、
を備え、
前記入力された設定値に基づき、前記第１画像データに対して画像補正処理が行われた場合に、
前記現像手段は、前記生成手段により生成された前記第２現像パラメータに基づき、前記ＲＡＷ画像データの現像処理を行い、
前記画像補正手段は、前記第２現像パラメータに基づき前記ＲＡＷ画像データを現像処理して得られた第２画像データに対して、前記入力された設定値に基づく画像補正処理を行わずに、所定の設定値に基づき画像補正処理を行う画像処理システムである。
本発明は、外部の現像装置が第１現像パラメータに基づきＲＡＷ画像データを現像処理して得られた第１画像データを取得する取得手段と、前記第１画像データに対する画像補正処理の設定値の入力を受け付ける入力手段と、
入力された設定値に基づき、前記第１画像データに対して画像補正処理を行う画像補正手段と、
前記第１画像データに対して、前記入力された設定値に基づき画像補正処理を行って得られた画像データに基づく画像を表示する表示手段と、
を備え、
前記入力された設定値に基づき、前記第１画像データに対して画像補正処理が行われた後で、前記入力された設定値に基づき生成された第２現像パラメータを用いて前記現像装置が前記ＲＡＷ画像データを現像処理して得られた第２画像データを前記取得手段が取得した場合に、前記画像補正手段は、前記第２画像データに対して、前記入力された設定値に基づく画像補正処理を行わずに、所定の設定値に基づき画像補正処理を行うことを特徴とする表示装置である。
【００１０】
本発明は、第１現像パラメータに基づきＲＡＷ画像データの現像処理を行う現像工程と、
前記第１現像パラメータに基づき前記ＲＡＷ画像データを現像処理して得られた第１画像データに対する画像補正処理の設定値の入力を受け付ける入力工程と、
入力された設定値に基づき、前記第１画像データに対して画像補正処理を行う画像補正工程と、
前記第１画像データに対して、前記入力された設定値に基づき画像補正処理を行って得られた画像データに基づく画像を表示する表示工程と、
前記入力された設定値に基づき、前記第１画像データに対して前記画像補正処理が行われた場合に、前記入力された設定値に基づき、前記ＲＡＷ画像データの現像処理において用いる第２現像パラメータを生成する生成工程と、
を有し、
前記入力された設定値に基づき、前記第１画像データに対して前記画像補正処理が行われた場合に、
前記現像工程では、前記生成工程において生成された前記第２現像パラメータに基づき、前記ＲＡＷ画像データの現像処理を行い、
前記画像補正工程では、前記第２現像パラメータに基づき前記ＲＡＷ画像データを現像処理して得られた第２画像データに対して、前記入力された設定値に基づく画像補正処理を行わずに、所定の設定値に基づき画像補正処理を行う画像処理システムの制御方法である。
本発明は、表示装置の制御方法であって、
外部の現像装置が第１現像パラメータに基づきＲＡＷ画像データを現像処理して得られた第１画像データを取得する取得工程と、
前記第１画像データに対する画像補正処理の設定値の入力を受け付ける入力工程と、
入力された設定値に基づき、前記第１画像データに対して画像補正処理を行う画像補正工程と、
前記第１画像データに対して、前記入力された設定値に基づき画像補正処理を行って得られた画像データに基づく画像を表示する表示工程と、
を有し、
前記入力された設定値に基づき、前記第１画像データに対して画像補正処理が行われた後で、前記入力された設定値に基づき生成された第２現像パラメータに基づき前記現像装置が前記ＲＡＷ画像データを現像処理して得られた第２画像データを前記取得工程で取得した場合に、前記画像補正工程では、前記第２画像データに対して、前記入力された設定値に基づく画像補正処理を行わずに、所定の設定値に基づき画像補正処理を行うことを特徴とする表示装置の制御方法である。
【発明の効果】
【００１１】
本発明によれば、現像処理により得られた画像データに対して画像処理を行う画像処理システム及びその制御方法において、画像処理後の画像の画質劣化を抑制すると共にユーザによる画質調整の作業が効率良く行えるようにすることができる。
【図面の簡単な説明】
【００１２】
【図１】実施例１に係る画像処理システムの概略構成を示す図である。
【図２】実施例１に係る画像処理システムの動作を説明する図である。
【図３】実施例に係る表示装置で選択可能なガンマ補正を説明する図である。
【図４】実施例２に係る画像処理システムの概略構成を示す図である。
【図５】実施例２に係る画像処理システムの動作を説明する図である。
【発明を実施するための形態】
【００１３】
（実施例１）
本実施例では、動画像のＲＡＷ画像データを現像処理する現像装置と、現像処理により得られた画像データの画像処理及び表示を行う表示装置（画像処理装置）と、から構成される画像処理システムについて説明する。
【００１４】
以下、図面を参照しながら本発明の実施例を説明する。
図１は、本発明の実施例１に係る画像処理システム１０の概略を示す図である。
画像処理システム１０は、現像装置１００と表示装置２００とケーブル３００により構成されており、ケーブル３００によって現像装置１００と表示装置２００とが接続されて
いる。
【００１５】
現像装置１００は、ＲＡＷ画像データをＭＰＥＧ形式等の表示装置２００で表示可能な形式に変換する現像処理が可能な装置である。本実施例の現像装置１００はパーソナルコンピュータ（以下、ＰＣと呼ぶ）であるものとする。しかし、現像装置１００はＰＣに限るものではなく、例えば、ＲＡＷ画像データの現像処理機能を有するデジタルカメラ、デジタルビデオカメラ等であっても良い。また、現像装置１００は表示装置２００と画像データ及び制御情報の通信が可能である。
【００１６】
表示装置２００は、画像データの表示、及び、画像データに対するガンマ補正やホワイトバランス補正等の画像処理が可能である。また、表示装置２００は現像装置１００と画像データ及び制御情報の通信が可能である。
【００１７】
ケーブル３００は、現像装置１００と表示装置２００との間で画像データ及び制御情報の通信を行うためのデジタルインターフェースである。本実施例では、ケーブル３００として、ＨＤＭＩ（登録商標）（High Definition Multimedia Interface）規格のケーブルを採用する。ケーブル３００は、ＨＤＭＩケーブルに限らず、例えばＬＡＮケーブルやＵＳＢケーブル等でも良い。なお、現像装置１００と表示装置２００との間の画像データや制御情報の通信手段として、ケーブル３００による有線通信に代えて、或いは有線通信と併用して、無線通信を用いても良い。その場合、現像装置１００及び表示装置２００には無線信号の送受信装置が備わる。
【００１８】
現像装置１００は、現像処理部１０１、現像パラメータ生成部１０２、記録部１０３、再生部１０４を備える。
現像処理部１０１は、記録部１０３に格納されているＲＡＷ画像データに対し、現像パラメータに基づく現像処理を行う。現像パラメータとは、デモザイク処理、ガンマ補正処理、ホワイトバランス調整処理等の現像処理で使用するパラメータである。現像処理の実行後、現像処理部１０１は、現像処理により得られた画像データをＭＰＥＧ形式に符号化圧縮し、符号化圧縮により得られた画像データを記録部１０３に格納する。なお、ここでは符号化圧縮形式をＭＰＥＧ形式としたが、符号化圧縮形式はこれに限るものではなく、例えばモーションＪＰＥＧ等でも良い。
【００１９】
現像パラメータ生成部１０２は、不図示のキーボード等の入力装置を介してユーザにより入力される指示や、表示装置２００から入力される指示に基づいて、ＲＡＷ画像データの現像処理に必要な現像パラメータを生成する。
記録部１０３は、撮影により得られたＲＡＷ画像データ、現像処理部１０１による現像処理により得られた画像データ、現像パラメータ生成部１０２から出力された現像パラメータのデータ等を記録する。記録部１０３は、ハードディスクや不揮発メモリ等により構成される。
再生部１０４は、現像処理により得られたＭＰＥＧ形式の画像データを、記録部１０３から読み出してデコードし、再生して表示装置２００に出力する。
【００２０】
表示装置２００は、入力部２０１、画像処理部２０２、表示パネル２０３、制御部２０４を備える。
画像処理部２０２は、入力部２０１から入力された画像データに対して、ノイズ除去、ガンマ補正、エッジ強調、ホワイトバランス補正等の画像処理（画像補正処理）を施す。これらの画像処理は、制御部２０４から指示された画質パラメータの設定値（画像補正処理の設定値）に基づいて実行する。画像処理部２０２は、画像処理後の画像データを表示パネル２０３に出力し、画像処理後の画像データに基づく画像をユーザに提示する。
【００２１】
制御部２０４は、ユーザからの画質調整指示を受け、ユーザの指示に基づく画質調整を行うための画質パラメータを画像処理部２０２に設定する。本実施例では、ユーザは、表示パネル２０３に表示される画像を確認しながら、不図示のリモコンを操作することにより、画質調整の指示を表示装置２００に入力することができるものとする。更に、制御部２０４は、表示装置２００にてユーザが指示した画質パラメータの設定情報（画像補正処理の設定値）を、表示装置２００と接続されている現像装置１００へ送信する。
【００２２】
図２は、本実施例における画像処理システム１０の動作を説明する図である。以下、図２を参照して本実施例の動作を説明する。
現像装置１００内の記録部１０３には、撮影により得られたＲＡＷ画像データと、ＲＡＷ画像データから現像処理により得られたＭＰＥＧ形式の画像データと、現像処理に用いた現像パラメータのデータが格納されている。本実施例では、ＲＡＷ画像データは１６ビットの画像データであり、ＭＰＥＧ形式の画像データは８ビットの画像データであるものとする。
【００２３】
ユーザが記録部１０３に記録されたＭＰＥＧ形式の画像データを再生する場合、現像装置１００の記録部１０３に格納されているＭＰＥＧ形式の画像データが読み込まれ、その一覧表示であるタイトルリストが生成され、表示パネル２０３に表示される（Ｓ４０１）。ユーザは、表示されたタイトルリストから所望の画像データを選択し、その画像データの再生開始を指示する。
【００２４】
再生部１０４は、ユーザの再生指示を受けると、記録部１０３に保存されている画像データのうちユーザが選択したＭＰＥＧ形式の画像データのデコード、再生、及び表示装置２００への出力の処理を開始する（Ｓ４０２）。
【００２５】
以下、表示装置２００の動作に関して説明を行う。
表示装置２００が起動する際、画像処理部２０２には画質パラメータの初期値（初期画質パラメータ）が設定されているものとする。
現像装置１００から出力された画像データは、入力部２０１を介して表示装置２００に入力される（Ｓ４０３）。表示装置２００に入力された画像データは画像処理部２０２により初期画質パラメータに基づいた画像処理が施され、表示パネル２０３に表示される。
【００２６】
制御部２０４は、リモコンによるユーザからの画質調整指示の入力の有無を監視する。ユーザからの画質調整指示が入力された場合、制御部２０４は、画像処理部２０２に対してユーザの画質調整指示に基づいた画質パラメータの設定を行う（Ｓ４０４）。
【００２７】
例えば、ユーザがガンマ補正を指示した場合について説明する。
本実施例の表示装置２００では、ユーザは、図３に示す３種類のガンマ補正の設定から一のガンマ補正の設定を選択することで、表示装置２００にガンマ補正処理の指示を入力することができるものとする。表示装置２００は、３種類のガンマ補正の設定を提示し、そのうちから一のガンマ補正の設定を選択するためのＧＵＩを作成し、表示パネル２０３に表示する。ユーザは、表示パネル２０３に表示されるＧＵＩに対し、リモコンによる操作を行うことにより、所望のガンマ補正の設定を選択する指示を表示装置２００に入力することができる。ここでは、ガンマ補正の初期画質パラメータ（表示装置２００の起動時に設定されているパラメータの初期値）は、図３（ｂ）に示す設定値（γ＝１．０）とする。
【００２８】
ユーザがリモコンを操作して、ガンマ補正の設定値を図３（ｂ）に示す初期値から図３
（ａ）に示す設定値（γ＝０．８）に変更するよう指示したとする。図３（ａ）に示すガンマ補正の設定値（画質パラメータ）はγ＝０．８である。ユーザによる当該指示の入力に基づき、制御部２０４は、画像処理部２０２にガンマ補正の設定値としてγ＝０．８を設定する。画像処理部２０２は、γ＝０．８の設定値に基づきガンマ補正処理を行い、補正後の画像が表示パネル２０３に表示される（Ｓ４０４）。
【００２９】
画像処理部２０２では、現像装置１００における現像処理により得られた８ｂｉｔの画像データに対してガンマ補正等の画像処理を行う。このように現像処理により得られた画像データに対し画像処理部２０２で画像処理を行って得られる画像を、ここではプレビュー画像と呼ぶ。
【００３０】
一方、ＲＡＷ画像データを現像する際にもガンマ補正等の画質調整の画像処理を行うことが可能である。この現像処理時の画像処理では、１６ｂｉｔのＲＡＷ画像データに対して画像処理を行い、画像処理を行った後に８ｂｉｔにビットダウンする。このように、現像処理時にガンマ補正等の画質調整（画質補正）の画像処理を行って得られた画像データに対しビット深度の変換処理を行ってプレビュー画像と同じビット数に落とした画像を、ここでは現像処理時補正画像と呼ぶ。
【００３１】
現像処理時補正画像もプレビュー画像もいずれもビット深度の等しい（ここでは８ｂｉｔ）画像データである。しかしながら、現像処理時補正画像は、プレビュー画像と比較して、画質調整の画像処理（画像補正処理）が高ビットの画像データに対し実行された画像データであるので、画質劣化が起こり難い。ガンマ補正に限らず、現像処理時にＲＡＷ画像データに対する画像処理により実施可能な画質調整は、現像処理時にＲＡＷ画像データに対して行う方が、現像処理後の画像データに対して行うよりも、画質劣化の少ない調整結果が得られる。
【００３２】
Ｓ４０４においてユーザの画質調整指示により表示装置２００が画像処理を行った結果得られる画像は、プレビュー画像である。従って現像処理時補正画像と比較して画質調整による画質劣化が大きい。しかしながら、画像鑑賞のためではなく、画質調整結果（例えば画質調整後の画像の階調性やホワイトバランス等）の確認のためであれば、多少の画質劣化は許容できると考えられる。プレビュー画像を得るための画像処理は８ｂｉｔの画像データに対する処理であるから、１６ｂｉｔのＲＡＷ画像データに対する処理である現像処理時補正画像を得るための画像処理よりも処理負荷が軽い。従って、画質調整結果をプレビュー画像で確認するようにすれば、現像処理時補正画像で確認する場合よりも、ユーザは、画質調整の結果をすぐに確認することができるという利点がある。従って、ユーザは、満足できる画質が得られるまで、画質パラメータの調整及び調整結果の確認を効率良く繰り返し行うことができる。
【００３３】
ユーザは、所望の画質となる画質パラメータを決定すると、その画質パラメータの設定情報を現像装置１００に送信するよう指示する。この指示は、例えば、ユーザが画像データの再生停止を指示することにより表示装置２００に入力される。或いは、画質パラメータの調整を行うＧＵＩに、画質パラメータの決定を指示するためのＧＵＩ部品を表示し、リモコンの操作によりＧＵＩで画質パラメータの決定及び現像装置１００への送信の指示を入力できるようにしてもよい。
【００３４】
制御部２０４はケーブル３００の通信線を通じて、ユーザが決定した画質調整を行うための画質パラメータの設定情報を現像装置１００に送信する。上記例示したガンマ補正の画質調整では、制御部２０４は、
画質調整前γ＝１．０ ・・・（式１）
画質調整後γ＝０．８ ・・・（式２）
という画質パラメータ設定情報を現像装置１００に送信する（Ｓ４０５）。
【００３５】
現像装置１００は、表示装置２００から送信された画質パラメータ設定情報を受信し（Ｓ４０６）、画質パラメータ設定情報を解析する（Ｓ４０７）。この解析は、現像装置１００が有するＣＰＵ（不図示）が行う。そして、現像装置１００は、画質パラメータ設定情報を解析した結果得られた、ユーザが表示装置２００の表示画像に対して行った画質調整の指示内容に基づき、ユーザが行った画質調整が現像処理時に実行可能な画質調整であるか否かを判定する。すなわち、ユーザが表示装置２００において行った画像補正処理により得られたプレビュー画像と同等の補正がなされた画像データを現像装置１００の行う現像処理によって得ることができるか否かを判定する。プレビュー画像と同等の補正がなされた画像データとは、例えば階調性やホワイトバランス等の画質調整処理により調整（補正）された画像の特性を表す値が、プレビュー画像と比較して所定範囲内である画像データである。現像装置１００は、判定結果を表示装置２００に送信する（Ｓ４０８）。ユーザが行った画質調整が現像処理時に実行可能な画質調整である場合、画質パラメータ設定情報を現像パラメータに変換することが可能である。すなわち、ユーザが入力した画質パラメータ設定情報（画像補正処理の設定値）に基づき、当該画質パラメータによる画像補正と同等の補正がなされた画像データを現像処理によって得るための現像パラメータを生成することができる。
【００３６】
表示装置２００の制御部２０４は、現像装置１００から送信された前記判定結果を受け（Ｓ４０９）、表示パネル２０３にメッセージを表示する。
ユーザによる画質調整が現像処理時に実行可能である（画質パラメータ設定情報を現像パラメータに変換可能である）との判定結果の場合、制御部２０４は、表示パネル２０３に、再現像処理を行うかどうかをユーザに問い合わせるメッセージを表示する（Ｓ４１０）。このメッセージは、例えば、「調整したガンマ補正は、再現像によりさらに高画質に行うことが可能です。再現像しますか？」等のようなメッセージである。再現像とは、ユーザが表示装置２００で画質調整した画像データに対応するＲＡＷ画像データの現像を、画質パラメータ設定情報を変換して得られる現像パラメータを用いて改めて行うことである。表示装置２００は、再現像処理の実行要否の指示をユーザに入力させるためのＧＵＩを含む画像を表示パネル２０３に表示し、リモコン操作を介したユーザによる指示の入力を受け付ける。
【００３７】
ユーザから再現像処理の実行指示を受け付けると、制御部２０４は再現像処理依頼を現像装置１００に送信する（Ｓ４１１）。また、制御部２０４は、画像処理部２０２に、ユーザによる画質調整前の画質パラメータ（式１）（初期画質パラメータ）を設定する（Ｓ４１５）。
【００３８】
以下、現像装置１００の動作について説明を行う。
現像装置１００内の不図示のＣＰＵは、表示装置２００からの再現像処理依頼を受けると（Ｓ４１２）、Ｓ４０６で表示装置２００から受け取った画質パラメータ設定情報（式１・式２）を現像パラメータ生成部１０２に送信する。現像パラメータ生成部１０２は、記録部１０３に格納されている現像パラメータと画質パラメータ設定情報（式１・式２）に基づき、Ｓ４０４でユーザが画像データに対し行った画質調整指示を現像パラメータに変換する（Ｓ４１３）。
【００３９】
Ｓ４１３で得られた新しい現像パラメータに基づき、現像処理部１０１は、Ｓ４０２で表示装置２００に送信され、Ｓ４０４でユーザが画質調整を行った画像データに対応するＲＡＷ画像データの現像処理を行う（再現像処理）（Ｓ４１４）。その後、現像処理部１０１は、再現像処理により得られた画像データをＭＰＥＧ形式に符号化圧縮し、圧縮され
た画像データを記録部１０３に格納する。
【００４０】
以上の処理が完了した後、Ｓ４０１と同様にユーザがタイトルリストの表示を指示すると、再現像処理により得られたＭＰＥＧ形式の画像データがタイトルリスト追加されて表示される。
ユーザがタイトルリストから当該再現像処理により得られたＭＰＥＧ画像データを選択して再生を指示すると、Ｓ４０２と同様に、再生部１０４は当該ＭＰＥＧ画像データのデコード及び再生を開始する。
【００４１】
このとき再生され表示装置２００に表示される画像は、ユーザが指定した設定値（γ＝０．８）でガンマ補正処理が施された画像である。よって、この表示画像は、Ｓ４０４においてユーザの画質調整指示により表示装置２００の画像処理部２０２がガンマ補正処理して得られたプレビュー画像と同等の階調性を有する画像である。そして、このとき表示画像は、ＲＡＷ現像処理時に高ビットのＲＡＷ画像データに対し現像装置１００にてガンマ補正処理が行われて得られた画像である。よって、プレビュー画像と比較して疑似輪郭等の画質劣化が少なく、ユーザは高画質で画質調整後の画像を鑑賞することが可能となる。
【００４２】
本実施例のシステムによれば、ユーザは、表示装置２００においてビット数の低い画像データに対し画質調整を行い、軽負荷の画像処理により素早く画像処理結果が得られるプレビュー画像で画質調整結果を確認しながら、効率良く画質調整を行うことができる。また、ユーザが決定した画質調整を表す画質パラメータの設定情報を現像パラメータに変換して現像装置１００によりＲＡＷ画像データの再現像を行うことにより、ユーザは、指示した画質調整が施されたより高画質の画像を鑑賞することができる。
【００４３】
また、本実施例のシステムによれば、再現像処理で用いられる現像パラメータは、表示装置２００から送信される画質パラメータに基づき現像装置１００にて生成される。そのため、ユーザは、現像装置１００の機種毎の現像パラメータの項目や現像パラメータの設定方法の相違を意識することなく、表示装置２００が提供する共通のユーザインターフェース（ＧＵＩやリモコン等）を用いて画質調整の指示を入力できる。
【００４４】
（実施例２）
実施例１の画像処理システムでは、現像装置１００と表示装置２００との間の画像データ、画質パラメータのデータ、制御情報等の受け渡しは、ケーブル３００によって行われた。これに対し、実施例２の画像処理システムでは、ケーブル３００の代わりに、ＳＤカード等の可搬の記録媒体を用いて画像データ、画質パラメータのデータ、制御情報等を現像装置１００と表示装置２００の間で受け渡しする画像処理システムを説明する。
【００４５】
以下、図面を参照しながら本発明の実施例２を説明する。
図４は、本発明の実施例２に係る画像処理システム２０の概略を示す図である。
画像処理システム２０は、現像装置１００と表示装置２００から構成されており、画像データや画質パラメータのデータ等の受け渡しをＳＤカード等の可搬の記録媒体を用いて行う。本実施例の現像装置１００はＰＣであるものとする。実施例１と同様、現像装置１００はデジタルカメラやデジタルビデオカメラ等のＲＡＷ画像データの現像処理機能を有する撮像装置でも良い。本実施例の現像装置１００及び表示装置２００を構成する各機能部のうち、実施例１の現像装置１００及び表示装置２００の各機能部と同じ処理を実行するものについては実施例１と同じ符号を付し、説明を省略する。
【００４６】
本実施例の現像装置１００と実施例１における現像装置１００とで異なる構成は、記録媒体１０５である。ここでは記録媒体１０５について説明する。
記録媒体１０５は、現像装置１００に着脱可能なＳＤカード等の記録媒体であり、現像
処理部１０１でＭＰＥＧ形式に符号化圧縮された画像データが記録される。
【００４７】
本実施例の表示装置２００と実施例１における表示装置２００とで異なる構成は、再生部２０５及び記録媒体２０６である。ここでは再生部２０５と記録媒体２０６について説明する。
再生部２０５は、現像により得られたＭＰＥＧ形式の画像データを、記録媒体２０６から読み出してデコードし、再生して画像処理部２０２に出力する。記録媒体２０６は、表示装置２００に着脱可能なＳＤカード等の記録媒体であり、現像装置１００における現像処理により得られたＭＰＥＧ形式等の画像データが記録されており、記録されているデータは表示装置２００により読み出される。
記録媒体１０５と記録媒体２０６とは同規格又は互換性のある規格の記録媒体である。現像装置１００から取り外された記録媒体１０５が、記録媒体２０６として表示装置２００に取り付けられることで、現像装置１００から表示装置２００へのデータの受け渡しが行われる。また、表示装置２００から取り外された記録媒体２０６が、記録媒体１０５として現像装置１００に取り付けられることで、表示装置２００から現像装置１００へデータの受け渡しが行われる。
【００４８】
図５は、本実施例における画像処理システム２０の動作を説明する図である。以下、図５を参照して本実施例における現像装置１００及び表示装置２００の動作を説明する。図５において、ユーザが表示装置２００でプレビュー画像を確認しながら画質調整を行うステップ（Ｓ９０５）は、図２のＳ４０４と同等である。現像装置１００が表示装置２００から送信される画質パラメータの設定情報を解析するステップ（Ｓ９０９）は、図２のＳ４０７と同等である。当該画質パラメータの設定情報を現像パラメータに変換するステップ（Ｓ９１３）は、図２のＳ４１３と同等である。変換して得られた現像パラメータを用いて前記ステップＳ９０５で画質調整した画像データに対応するＲＡＷ画像データを現像するステップ（Ｓ９１４）は、図２のＳ４１４と同等である。表示装置２００の画質パラメータをユーザによる画質調整が行われる前の設定（初期画質パラメータ）に戻すステップ（Ｓ９１５）は、図２のＳ４１５と同等である。これら実施例１の図２で説明したステップと同じ処理を行うステップについては、詳細な説明を省略する。
【００４９】
以下、表示装置２００の動作に関して説明を行う。
ユーザは、現像装置１００で現像されたＭＰＥＧ形式の画像データが記録された記録媒体１０５（ＳＤカード等）を現像装置１００から取り出し（Ｓ９０１）、記録媒体２０６として表示装置２００に取り付ける（Ｓ９０２）。
【００５０】
表示装置２００は、記録媒体２０６に記録されている画像データを読み出し、当該画像データの一覧であるタイトルリストを生成し、表示パネル２０３に表示する。ユーザは、タイトルリストから所望の画像データを選択することにより、記録媒体２０６に記録された画像データの再生開始の指示を表示装置２００に入力する（Ｓ９０３）。制御部２０４は、ユーザが選択した画像データの再生を開始するとともに、画像処理部２０２に初期画質パラメータを設定する（Ｓ９０４）。
【００５１】
ユーザからの画質調整指示が入力された場合、制御部２０４は、画像処理部２０２に対してユーザの指示に基づいた画質パラメータの設定を行う（Ｓ９０５）。
ユーザが決定した画質調整の記録媒体２０６への記録を表示装置２００に指示すると、制御部２０４は、画質パラメータの設定情報（式１・式２）を画像データと関連付けて、記録媒体２０６に記録する（Ｓ９０６）。実施例１と同様、ユーザが画像データの再生停止を指示すると画質パラメータの設定情報の記録指示がなされるようにしても良いし、画質パラメータの設定情報の記録を指示するためのＧＵＩを表示し、ユーザによる操作を受け付けるようにしても良い。
【００５２】
以下、現像装置１００の動作に関して説明を行う。
ユーザは、画質パラメータ設定情報が画像データに関連付けて記録された記録媒体２０６を表示装置２００から取り出し（Ｓ９０７）、それを記録媒体１０５として現像装置１００に挿入する（Ｓ９０８）。
【００５３】
現像装置１００では、記録媒体１０５に画質パラメータ設定情報のデータが記録されているか否かを確認し、画質パラメータ設定情報のデータが有る場合は画質パラメータ設定情報を解析する（Ｓ９０９）。この処理は現像装置１００が有するＣＰＵ（不図示）が実行する。そして、現像装置１００は、記録媒体１０５に記録された画質パラメータ設定情報が現像パラメータに変換可能であるかどうかを判定し、判定結果を現像装置１００に接続されている不図示のモニタに表示する（Ｓ９１０）。画質パラメータ設定情報を現像パラメータに変換可能であるとは、ユーザによる画質調整と同等の画質調整を現像処理時に実行可能であることである。画質パラメータ設定情報には、ユーザが表示装置２００においてどのような画質調整を行ったかに関する情報が格納されている。現像装置１００がデジタルカメラやデジタルビデオカメラの場合、デジタルカメラやデジタルビデオカメラに備わるモニタに前記判定結果の表示を行っても良い。
【００５４】
ユーザによる画質パラメータ設定情報を現像パラメータに変換可能との判定結果であれば、現像装置１００に接続された、或いは現像装置１００に備わるモニタ（不図示）に、再現像処理の実行要否をユーザに問い合わせるメッセージを表示する（Ｓ９１１）。再現像処理とは、実施例１と同様、画質パラメータを変換して得られる現像パラメータを用いて、Ｓ９０５でユーザが画質調整した画像データに対応するＲＡＷ画像データの現像を行うことである。
【００５５】
ユーザが再現像処理を指示した場合（Ｓ９１２）、現像装置１００内の不図示のＣＰＵは、画質パラメータ設定情報（式１・式２）を現像パラメータ生成部１０２に送信する。現像パラメータ生成部１０２は、記録部１０３に格納されている現像パラメータと画質パラメータ設定情報（式１・式２）から、画質パラメータ設定情報の内容を反映させた新たな現像パラメータを作成する（Ｓ９１３）。
【００５６】
作成された新しい現像パラメータを用いて、現像処理部１０１はＲＡＷ画像データを再現像処理する（Ｓ９１４）。現像処理部１０１は、再現像処理により得られた画像データをＭＰＥＧ形式に符号化圧縮し、圧縮により得られたＭＰＥＧ形式の画像データを記録媒体１０５に格納する。
【００５７】
ユーザは、以上の再現像処理により得られたＭＰＥＧ形式の画像データが記録された記録媒体１０５を現像装置１００から取り出し（Ｓ９０１）、表示装置２００に挿入し（Ｓ９０２）、タイトルリストから選択して再生指示する（Ｓ９０３）。この再現像処理により得られたＭＰＥＧ形式の画像データは、Ｓ９０５でユーザがプレビュー画像に対して行った画質調整と同等の画質調整が施された画像であり、且つ、プレビュー画像と比較して画質劣化が少ない高画質な画像である。実施例１で説明したように、Ｓ９０５におけるプレビュー画像を利用した画質パラメータの調整及び調整結果の確認は、ＲＡＷ画像データに対して画質調整を行うよりも処理負荷が軽く、ユーザは効率的に画質調整を行うことができる。データ量の多い動画像のＲＡＷデータの場合に、両者の処理負荷の相違はより顕著である。本実施例の画像処理システムによれば、動画像の画質調整も効率良く行うことができ、且つ、最終的にＲＡＷ画像データから再現像して得られる高画質な画像を鑑賞することができる。
【００５８】
本実施例に記載のシステムによれば、実施例１と同様に、ユーザはプレビュー画像を確
認しながら効率良く画質調整を行うことができる。さらに、当該画質調整の内容を反映させた現像処理を行うことにより、ユーザの意図した画質調整がなされ、且つプレビュー画像に比べて画質劣化の少ない、高画質の画像表示が可能である。また、ユーザが、現像装置の相異によらずに、共通のユーザインターフェースを介して画質調整を行うことが可能な点も実施例１と同様である。
【００５９】
実施例１及び実施例２において、画質パラメータ設定情報を現像パラメータへ反映可能か否かの解析や判断、画質パラメータ設定情報に基づく新たな現像パラメータの生成は現像装置１００で行う構成としている。しかし、本発明はこれに限るものではなく、表示装置２００で前述の解析や新たな現像パラメータの生成を行い、表示装置２００から現像装置１００へ当該新たな現像パラメータを送信してもよい。そして、現像装置１００が当該送信された現像パラメータを用いて再現像処理を行う構成であっても良い。
【００６０】
また、上記実施例では、ＲＡＷ画像データが動画像のＲＡＷデータである場合を例に説明したが、本発明においてＲＡＷ画像データは静止画像のＲＡＷデータであっても良い。ユーザによる画質調整をプレビュー画像を用いて行うことによるデータ量や処理負荷の軽減の効果は、ＲＡＷデータのデータ量が大きい動画像においてより顕著である。プレビュー画像による画質調整は処理負荷が軽く、画質調整結果を得るのに要する待ち時間がＲＡＷ画像データに対して画質調整を行う場合より短いため、ユーザは、所望の画質を得られるまでストレスなく繰り返し画質調整を行うことができる。ユーザが最終的に決定した画質調整パラメータに基づいてのみ、処理負荷の重いＲＡＷ画像データに対する画質調整処理が行われるので、最小限の処理負荷で高画質の画質調整結果が得られる。
【符号の説明】
【００６１】
１００  現像装置、１０１  現像処理部、１０２  現像パラメータ生成部、２００  表示装置、２０１  入力部、２０２  画像処理部、２０３  表示パネル、２０４  制御部
【図１】
0006001154.tif 000002
【図２】
0006001154.tif 000003
【図３】
0006001154.tif 000004
【図４】
0006001154.tif 000005
【図５】
0006001154.tif 000006